(57)【要約】【課題】足場の組み立て作業の工程管理に便利な足場の組み立て工程管理支援装置を提供すること。【解決手段】  組足場２の足場部品の種別ごとに一人の作業者が単位時間に組み立てられる個数が書き込まれた歩掛りデータ５２と、足場部品と組み立ての順番を示す通し番号とを対応付けた部品データ５と、を記憶したデータ記憶部４１と、作業日数と各作業日の作業者の人数を示す人工データ５３を入力する入力画面６０と、人工データ５３、歩掛りデータ５２と部品データ５とに基づいて、組足場２の組み立て途中段階を求め、表示部に３次元の画像として表示する表示プログラム４８と、前記途中段階の組足場２で作業可能領域と作業禁止領域とを求め、区別して表示する領域判定プログラム４９と、を備え、組足場２の組み立て工程の管理を容易に行うことができ、付帯工事の手配を容易かつ確実に行うことが可能となり、さらに工程管理のミスを確実に防止できる。【選択図】図１
2010271786.tif 000002
【特許請求の範囲】
【請求項１】
建築構造物の本体が建造された後、この本体に付随する付帯工事を行うための足場の組み立て工程の管理を支援する装置において、
足場の構成部品の種別ごとに一人の作業者が単位時間に組み立てられる個数が書き込まれた歩掛りデータを記憶した記憶部と、
足場の構成部品と組み立ての順番とを対応付けた部品データを記憶した記憶部と、
足場の組み立て作業の作業日数と各作業日の作業者の人数とを含む情報をコンピュータに入力するための入力手段と、
この入力手段で入力された情報と前記歩掛りデータと部品データとに基づいて、指定された作業日数に対応する足場の組み立て途中段階を求め、この途中段階までの足場を表示部に３次元の画像として表示する手段と、
前記途中段階の足場に基づいて、当該途中段階で作業を進められる作業可能領域と作業が禁止される作業禁止領域とを求め、前記途中段階の足場が３次元の画像として表示された表示部に、前記作業可能領域と作業禁止領域とを区別して表示する手段と、を備えたことを特徴とする足場の組み立て工程管理支援装置。
【請求項２】
前記作業可能領域と作業禁止領域とは互いに色を変えることにより区別して表示されることを特徴とする請求項１記載の足場の組み立て工程管理支援装置。
【請求項３】
建築構造物の本体は、複数の階層構造を備え、
前記足場は、前記本体の各階に組み立てられる組足場であり、
前記作業可能領域は、組足場が完成した階と組足場の組み立てが開始されていない階とであり、
前記作業禁止領域は、組足場が組み立て途中である階であることを特徴とする請求項１または２記載の足場の組み立て工程管理支援装置。
【請求項４】
前記作業可能領域と作業禁止領域とを区別して表示する手段は、前記部品データにおける部品群のうち前記途中段階にて使用された最後の部品の通し番号に基づいて、前記作業可能領域と作業禁止領域とを求めることを特徴とする請求項３記載の足場の組み立て工程管理支援装置。
【請求項５】
建築構造物の本体は、横方向に間隔をおいて配置された複数の支柱とこれら支柱の間に架設された架設部分とを備え、
前記足場は前記架設部分に吊り下げられた吊り足場であり、
前記作業可能領域は、吊り足場の組み立てが完成した前記支柱の間の領域及び吊り足場の組み立てが開始されていない前記支柱の間の領域であり、
前記作業禁止領域は、吊り足場の組み立て途中である前記支柱の間の領域であることを特徴とする請求項１または２記載の足場の組み立て工程管理支援装置。  
【請求項６】
前記作業可能領域と作業禁止領域とを区別して表示する手段は、前記部品データにおける部品群のうち前記途中段階にて使用された最後の部品の通し番号に基づいて、前記作業可能領域と作業禁止領域とを求めることを特徴とする請求項５記載の足場の組み立て工程管理支援装置。
【請求項７】
請求項１ないし６のいずれかに記載された足場の組み立て工程管理支援装置に用いられるソフトウェアであって、
足場の組み立て作業の作業日数と各作業日の作業者の人数とを含む入力情報と、足場の構成部品ごとに一人の作業者が単位時間に組み立てられる個数が書き込まれた歩掛りデータと、足場の構成部品と組み立ての順番とを対応付けた部品データと、に基づいて入力情報に対応する足場の組み立て途中段階を求め、この途中段階までの足場をコンピュータの画面に３次元の画像として表示するステップと、
前記途中段階の足場に基づいて、当該途中段階で作業を進められる作業可能領域と作業が禁止される作業禁止領域とを求めるステップと、
組み立て段階の足場が３次元の画像として表示されたコンピュータの画面に、前記作業可能領域と作業禁止領域とを区別して表示するステップと、を含むことを特徴とする足場の組み立て工程管理支援用のソフトウェア。
【発明の詳細な説明】
【技術分野】
【０００１】
本発明は、建築構造物の本体が建造された後、この本体に付属構造物を設置する設置工事や、建築構造物等を塗装する塗装工事などの付帯工事を行うための足場の組み立て工程の管理を支援する工程管理支援装置及びその装置を制御するコンピュータ用ソフトウェアに関する。
【背景技術】
【０００２】
従来、建築構造物に対して配管、ダクト等の付属構造物を設置する設置工事や、建築構造物等を塗装する塗装工事などの付帯工事を行う場合、作業領域となる足場を仮設する必要がある。この足場を仮設する足場工事の管理方法は、ネットワーク形式やバーチャート形式の工程表を作成して行なわれる。
【０００３】
ところで足場の組み立てが完成していなくともその途中段階で、付帯工事を進めることができる場合がある。例えば複数の階層構造を備えた建築構造物の本体に対して付帯工事を行う場合には、組足場が完成した階においてはその付帯工事を行うことができる。従ってどの時点で足場の組み立て作業がどこまで進み、そのときにどの領域で付帯工事を行うことができるのか、どの領域で付帯工事を進めることができないのかを、予め把握しておくことが必要である。このような把握をしておくことにより工事管理者は各業者に迅速かつ適確に作業の手配をすることができる。更にまた作業者の投入人数が変更になった場合に作業がどの程度遅れるのか、あるいは悪天候により作業が遅れたときに作業者を増加させることでどの程度まで遅れを取り戻せるのか、といったことを判断する必要がある。
【０００４】
しかしながら工事管理者あるいは作業者が、足場工事を管理している従来の工程表に基づいて上述の把握、判断を行おうとすると、人が設計図などを参照して考えながら行うため、熟練を要し、容易なことではなかったし、管理ミス発生のリスクも高かった。
【０００５】
これに対し、特許文献１には、設計された建築構造物の部品や仮設等の設計データを入力して建築構造物の３次元データを作成し、作業対象となる部品の取付順序の編集を行い、その後任意の日付を指定すると指定された日までの建築構造物の仕上がりの様子を３次元の画像データとして表示し、その日に作業が行われる領域を他の領域と異なる色で表示する工程計画管理方法が記載されている。
【０００６】
しかしながら、この方法では設定された日に設置する予定の部品の数量を予め決めておき、その部品の数から必要となる作業者の投入人数を求めるため、作業者の投入人数が変更された場合、その作業者の投入人数に合うように設定された日に設置する予定の部品の数量を変更する必要があった。そしてある日の作業者の投入人数が変更されると、変更日以後の全ての作業日において設置される部品の数量の再計算を行う必要があった。またどの領域で付帯工事を行うことができ、どの領域の付帯工事を進めることができないのかを把握することについては記載されていない。従って特許文献１の方法では、作業者の投入人数が変更になったときに、作業の遅れがどのくらい発生するのかを簡単に判断することができず、また大量の再計算を行う必要があるため、管理ミスの発生するリスクが高かった。
【先行技術文献】
【特許文献】
【０００７】
［特許文献１］  特開平０９−２６８７６０号公報（段落番号００３７、００３９）
【発明の概要】
【発明が解決しようとする課題】
【０００８】
本発明はこのような事情に鑑みてなされたものであり、その目的は、足場の組み立て作業の工程管理に便利な足場の組み立て工程管理支援装置及びコンピュータプログラムを提供することにある。
【課題を解決するための手段】
【０００９】
本発明の足場の組み立て工程管理支援装置は、
建築構造物の本体が建造された後、この本体に付随する付帯工事を行うための足場の組み立て工程の管理を支援する装置において、
足場の構成部品の種別ごとに一人の作業者が単位時間に組み立てられる個数が書き込まれた歩掛りデータを記憶した記憶部と、
足場の構成部品と組み立ての順番とを対応付けた部品データを記憶した記憶部と、
足場の組み立て作業の作業日数と各作業日の作業者の人数とを含む情報をコンピュータに入力するための入力手段と、
この入力手段で入力された情報と前記歩掛りデータと部品データとに基づいて、指定された作業日数に対応する足場の組み立て途中段階を求め、この途中段階までの足場を表示部に３次元の画像として表示する手段と、
前記途中段階の足場に基づいて、当該途中段階で作業を進められる作業可能領域と作業が禁止される作業禁止領域とを求め、前記途中段階の足場が３次元の画像として表示された表示部に、前記作業可能領域と作業禁止領域とを区別して表示する手段と、を備えたことを特徴とする。
【００１０】
また本発明の足場の組み立て工程管理支援装置は、例えば前記作業可能領域と作業禁止領域とは互いに色を変えることにより区別して表示してもよい。また本発明の足場の組み立て工程管理支援装置は、例えば建築構造物の本体は、複数の階層構造を備え、前記足場は、前記本体の各階に組み立てられる組足場であり、前記作業可能領域は、組足場が完成した階と組足場の組み立てが開始されていない階とであり、前記作業禁止領域は、組足場が組み立て途中である階であってもよい。また本発明の足場の組み立て工程管理支援装置は、例えば前記作業可能領域と作業禁止領域とを区別して表示する手段は、前記部品データにおける部品群のうち前記途中段階にて使用された最後の部品の通し番号に基づいて、前記作業可能領域と作業禁止領域とを求めてもよい。
【００１１】
また本発明の足場の組み立て工程管理支援装置は、例えば建築構造物の本体は、横方向に間隔をおいて配置された複数の支柱とこれら支柱の間に架設された架設部分とを備え、前記足場は前記架設部分に吊り下げられた吊り足場であり、前記作業可能領域は、吊り足場の組み立てが完成した前記支柱の間の領域及び吊り足場の組み立てが開始されていない前記支柱の間の領域であり、前記作業禁止領域は、吊り足場の組み立て途中である前記支柱の間の領域であってもよい。また本発明の足場の組み立て工程管理支援装置は、例えば前記作業可能領域と作業禁止領域とを区別して表示する手段は、前記部品データにおける部品群のうち前記途中段階にて使用された最後の部品の通し番号に基づいて、前記作業可能領域と作業禁止領域とを求めてもよい。
【００１２】
本発明の足場の組み立て工程管理支援装置に用いられるソフトウェアは、
請求項１ないし６のいずれかに記載された足場の組み立て工程管理支援装置に用いられるソフトウェアであって、
足場の組み立て作業の作業日数と各作業日の作業者の人数とを含む入力情報と、足場の構成部品ごとに一人の作業者が単位時間に組み立てられる個数が書き込まれた歩掛りデータと、足場の構成部品と組み立ての順番とを対応付けた部品データと、に基づいて入力情報に対応する足場の組み立て途中段階を求め、この途中段階までの足場をコンピュータの画面に３次元の画像として表示するステップと、
前記途中段階の足場に基づいて、当該途中段階で作業を進められる作業可能領域と作業が禁止される作業禁止領域とを求めるステップと、
組み立て段階の足場が３次元の画像として表示されたコンピュータの画面に、前記作業可能領域と作業禁止領域とを区別して表示するステップと、を含むことを特徴とする。
【発明の効果】
【００１３】
本発明は、足場の組み立て作業の作業日数と各作業日の作業者の投入人数とをコンピュータに入力することにより、入力情報に対応する足場の組み立て途中段階（進捗状況）を表示部に３次元の画像として表示している。従って作業日数と作業者の投入人数とに応じた進捗状況が事前に一目で分かるため、どのように作業者を投入することにより足場の組み立ての工期に間に合うか、作業者の投入人数が変更になった場合に作業がどの程度遅れるのか、また悪天候により作業が遅れたときに作業者を増加させることでどの程度まで遅れを取り戻せるのか、といったことが容易に把握でき、このため足場の組み立て工程の管理を行う上で便利である。そして組み立て途中段階で作業を進められる作業可能領域と作業が禁止される作業禁止領域とを区別して表示するようにしているため、付属構造物の取り付け作業や塗装作業の手配を行う上で、どの時点からどの作業を行うことができるか、どの時点ではどの作業が行えないのか、といったことを一目で把握できる。このため作業の手配が容易であり、また工程管理のミス、例えばある時点では作業禁止領域であるにもかかわらず、その時点に作業を実施するように手配してしまったといったミスを確実に防止できる。
【図面の簡単な説明】
【００１４】
【図１】組足場の組み立て手順を示す第１の斜視図である。
【図２】組足場の組み立て手順を示す第２の斜視図である。
【図３】組足場の組み立て手順を示す第３の斜視図である。
【図４】組足場の組み立て手順を示す第４の斜視図である。
【図５】組足場の組み立て手順を示す第５の斜視図である。
【図６】組足場の組み立て手順を示す第６の斜視図である。
【図７】組み立て工程管理支援装置の構成を説明するための説明図である。
【図８】部品データの構成について説明するための説明図である。
【図９】組足場の詳細について説明するための斜視図である。
【図１０】床部の詳細について説明するための平面図である。
【図１１】組足場の足場部品について説明するための第１の斜視図である。
【図１２】組足場の足場部品について説明するための第２の斜視図である。
【図１３】組足場の足場部品について説明するための第３の斜視図である。
【図１４】人工データの入力画面について説明するための説明図である。
【図１５】最終部品判断用のプログラムの機能について説明するための説明図である。
【図１６】組足場の組み立て手順の他の例を示す斜視図である。
【図１７】吊り足場について説明するための斜視図である。
【図１８】吊り足場の詳細について説明するための斜視図である。
【図１９】吊り足場の組み立ての流れ示す第１の斜視図である。
【図２０】吊り足場の組み立ての流れ示す第２の斜視図である。
【図２１】吊り足場の組み立ての流れ示す第３の斜視図である。
【発明を実施するための形態】
【００１５】
［第１の実施形態］
まず本発明の足場の組み立て工程管理支援装置を、組足場を設置する場合に適用した実施形態について図１〜図６を参照して説明する。図１〜図６は、複数の階層構造を有する例えばビルディングなどの建築構造物本体（以下、単に本体という）１に付属構造物の設置や塗装作業を行うための組足場２を組み立てていく様子を段階的に示したものであり、この例では、下層段側から順次組足場２が組み立てられていく。図１は、本体１の１階部分１１における組足場２の組み立てが途中である状態を示し、図２は、１階部分１１における組足場２の組み立てが終了した状態を示している。また図３は、本体１の２階部分１２における組足場２の組み立てが途中である状態を示し、図４は、２階部分１２における組足場２の組み立てが終了した状態を示している。そして図５は、本体１の３階部分１３における組足場２の組み立てが途中である状態を示し、図６は、３階部分１３における組足場２の組み立てが終了した状態を示している。
【００１６】
本実施形態に係る足場の組み立て工程管理支援装置は、コンピュータからなり、足場の組み立て作業の作業日数と、各作業日の作業者の投入人数とを入力することにより、その入力情報に応じた途中段階を３次元画像として表示部、例えばＣＲＴや液晶からなる画面を有するディスプレイに表示する機能と、表示された３次元画像において、その段階に応じた作業可能領域と作業禁止領域とを区別して、例えば互いに異なる色で着色する機能とを備えている。以下にこれらの機能を実現するためのコンピュータの構成及びコンピュータを用いて既述の方法を実現する具体的なステップについて図７ないし図１５を参照して説明する。組み立て工程管理支援装置４は、図７に示すように、データ記憶部４１と、プログラム記憶部４２とを備えている。
【００１７】
データ記憶部４１には、本体１の３次元ＣＡＤのデータ（以下、建築構造物データという）５０と、３次元ＣＡＤによって設計された組足場２を仮設するときに使用する全ての足場部品の設置位置のデータを有する部品データ５と、各足場部品の種別毎に一人の作業者が単位時間当たり、例えば１時間当たりに組み立てることができる足場部品の個数を示す歩掛りデータ５２と、入力された各作業日の作業者の投入人数を示す人工データ５３と、各階毎に組足場２の組み立てが完了している状態において、最後に取り付けられる手摺パイプ１６の通し番号を書き込んだ最終部品確認用のデータ５４とが記載されている。
【００１８】
建築構造物データ５０は、３次元ＣＡＤによって作成された本体１の座標位置等のデータを有する３次元の画像データである。
【００１９】
部品データ５は、３次元ＣＡＤで組足場２の設計図を作成するときに併せて作成され、図７、図８に示すように各足場部品と通し番号と、各足場部品が設置される座標位置とを対応付けて作成された表である。各足場部品とは、例えば図９、図１０に示すように、建地を構成する複数の垂直（Ｚ方向）に伸びる支持部材である建地パイプ２２、床部２０を構成する水平方向（Ｘ−Ｙ方向）に伸びる支持部材である複数の布パイプ２４及び腕木パイプ（ころばしと呼ばれる）２５と、足場板３の他、手摺１５を構成するための手摺パイプ１６及び根がらみ２７等がある。なお各パイプ同士を連結する場合、連結部材としてパイプクランクを使用するが、本実施形態ではこのパイプクランプの記載を省略している。
【００２０】
通し番号は、図１〜図６に示す各階に設置される組足場２の全ての足場部品に対して付与された番号であり、この通し番号は、各階に設置される各組足場２の間でも重複しないように付与されている。
【００２１】
この通し番号は、例えば組足場２の設計時に付与される。組足場２を設計する場合、設計者は、３次元ＣＡＤの画面上で組足場２を組み立てるときと同じ順番で足場部品を一つずつ設置して組足場２を設計する。そして設計時に足場部品の設置と同時に各足場部品に通し番号を付与していく。従って通し番号とは、足場部品の実際の組み立て順を示しており、組足場２を画面表示するときには、この通し番号の順番通りに足場部品が表示される。
【００２２】
ここで通し番号の付与の一例について説明する。例えば図１１に示すような床部２０を設計する場合、まず図１２に示すように床部２０を支持する建地パイプ２２を設置し、次いで図１３に示すように、この建地パイプ２２に布パイプ２４と腕木パイプ２５とを連結すると共に、布パイプ２４及び腕木パイプ２５の上に足場板３を並べて床部２０を形成する。従って床部２０の足場部品には、建地パイプ２２から通し番号Ｔ１〜Ｔ１４（図１２参照）が付与され、布パイプ２４に通し番号Ｔ３０〜Ｔ３４（図１３参照）が付与され、腕木パイプ２５に通し番号Ｔ４０〜Ｔ４５（図１３参照）が付与され、足場板３に、通し番号Ｔ５０〜Ｔ６１が付与され、手摺パイプ１６に通し番号Ｔ１００〜Ｔ１０３が付与される。
【００２３】
そして図１１〜図１３に示す床部２０の足場部品を通し番号の順に並べたものが、図８に示す部品データ５となる。なお図８に示すように通し番号の一部は跳んでいるが、これは図示していない部分の部品データ５にも通し番号が付与されているためである。また図１１では、根がらみ２７の記載が省略されている。なお図１２は、建地パイプ２２が設置された状態を示し、図１３は、建地パイプ２２が設置され、布パイプ２４と腕木パイプ２５とが設置された状態を示す図である。
【００２４】
歩掛りデータ５２は、上述した各足場部品の種別毎の一人の作業者が単位時間当たりに組み立てることができる足場部品の個数の他に、図７に示すように各足場部品の種類ごとに一意に定められた部品コードと、足場部品の部品名や足場部品の寸法データと、を有している。そして部品データ５は、部品コードを基に歩掛りデータ５２を参照することによって、各部品データ５に対応する歩掛りデータ５２が判るようになっている。
【００２５】
人工データ５３は、各作業日に足場工事に従事する作業者の投入人数を示すデータであり、図７に示すように、各作業日を示す作業日と、その作業日に対応する作業者の人数とを対応付けた表である。この作業日ごとの作業者の人数は、上述したようにオペレータ（施工者）によって入力される。この作業日と作業者の投入人数の入力は、例えば図１４に示すような入力画面６０を表示し、この入力画面６０にキーボードやマウスを利用して各作業日と作業日に対応する作業者の投入人数とを入力することによって行われる。そして作業日と、作業日ごとの作業者の投入人数とが入力されると、そのデータがデータ記憶部４１に記憶されるようになっている。つまり図１４に示す入力画面６０は、人工データ５３用の入力手段となり、入力画面６０の中央に表示されている表が人工データ５３となる。なお本実施形態では、作業日は年月日を示す８桁の数字として表示され、作業者の投入人数は、そのまま数字で表示される。
【００２６】
最終部品確認用のデータ５４は、図７に示すように、各階の位置と、各階で組足場２を組み立てるときに最後に設置される部品データ５の通し番号（完成判定通し番号）とを対応付けた表である。本実施形態では、組足場２を組み立てる場合、最後に手摺パイプ１６（図２、図１１参照）が設置されるため、組足場２を画面に表示したときに、この最終部品確認用のデータ５４を参照して各階の組足場２が完成しているのかを判定することができる。
【００２７】
プログラム記憶部４２には、図７に示すように人工データ作成用のプログラム４６と、最終部品判断用のプログラム４７と、表示プログラム４８と、領域判別プログラム４９とが格納されている。
【００２８】
人工データ作成用のプログラム４６は、入力情報に基づいて各作業日と作業日ごとの作業者数とを対応付けた人工データを作成するためのステップ群を備えている。そして起動すると図１４に示す入力画面６０を表示して、オペレータが作業日と作業者数とを入力できる状態にする。
【００２９】
最終部品判定用のプログラム４７は、人工データ５３と歩掛りデータ５２と部品データ５とに基づいてオペレータから指定された作業日(当該作業日を含む)までに組み立てられる最終部品の通し番号を求めるためのステップ群を備えている。この様子を図１５に模式的に示す。例えば部品種別を示す部品コード、例えばＰ１、Ｐ２、Ｐ３の夫々について、一日あたりに一人の作業者が組み立てられる個数が６個、１０個及び４個であり、各足場部品と通し番号との関係が図１５のように決められているとする。
【００３０】
まず人工データ５３から各作業日の作業者数と、予め設定された１日の平均作業時間（例えば４８０分）を積算する。ここで２００９年５月１５日の作業者数が２人であるとすると、その積算値は９６０分となる。次いで図１５に示す歩掛りデータ５２には、各部品種別Ｐ１、Ｐ２、Ｐ３の各々について１時間当たりの１人の作業者がその足場部品を組み立てられる組み立て個数が設定されているので、この個数で１時間を除算して１人の作業者がその足場部品を１つ組み立てるのに要する時間を求める。なおＰ１は１０分、Ｐ２は６分、Ｐ３は１５分となる。
【００３１】
部品データ５と歩掛りデータ５２との部品コードを参照して、部品データ５の全ての足場部品と１人の作業者がその足場部品を１つ組み立てるのに要する時間とを対応させる。そして上述した積算値９６０分から１人の作業者がその足場部品を１つ組み立てるのに要する時間を、通し番号の小さい足場部品から順に減算していく。そして減算の結果が負の値になった所で、その一つ前の通し番号を参照し、その通し番号に対応する足場部品がその作業日の終了時に設置される最終部品となる。そして上述した処理を全ての作業日に対して行い、全ての作業日の最終部品の通し番号を取得すると共に、部品データ５のチェック部にその通し番号の足場部品が、何日目の作業日の最終部品であるかを示すチェックを入れる。
【００３２】
表示プログラム４８は、最終部品判定用のプログラム４７により求められた最終部品の通し番号に至るまでの部品データ５内の足場部品の部品群を用い、通し番号順に部品に付された位置座標に基づいて組足場２の組み立て途中段階に対応する３次元の画像を表示部に表示するステップ群を備えている。既述のように通し番号は、実際に組み立てられる部品の順番になっていることから、表示部に表示された画像は、実際の組み立ての途中段階に対応することになる。従って例えば人工データ５３としてデータ記憶部４１に書き込まれた作業日群の中からオペレータが作業日を選択（指定）すると、その作業日に応じた足場の組み立て段階が３次元画像として表示されることになる。実際に組み立てられる足場部品の順番とは、例えば組足場２の組み立てマニュアルに規定された組み立ての順番であり、設計時に想定された順番である。
【００３３】
領域判別プログラム４９は、前記表示部に表示される足場の途中段階に対して既述の付帯工事が可能である作業可能領域と付帯工事が禁止される作業禁止領域とを求めて、両作業領域を互いに異なる色（例えば前者は青色、後者は赤色）で表示するためのステップ群を備えている。この例のように階層構造の本体１の各階に組足場２を設置する場合には、組足場２の設置が完了している階部分１１〜１３または足場の設置が開始されていない階部分１１〜１３が作業可能領域となり、組足場２の設置が途中である階部分１１〜１３が作業禁止領域となる。例えば図３の状態であれば、１階部分１１と３階部分１３とが作業可能領域となり、２階部分１２が組足場２の設置途中であることから作業禁止領域となる。
【００３４】
両作業領域の判別については、入力情報に応じて組み立てられる組足場２の作業日の最後に設置される最終部品の通し番号と、最終部品確認用のデータ５４に記載されている、各階ごとの組足場２の完成時における最終部品の通し番号と、に基づいて、組足場２の組み立て途中の階部分１１〜１３を求め、この階部分１１〜１３に基づいて作業可能領域と作業禁止領域とを判別する。例えば１階部分１１において組足場２が完成したときの最終部品の通し番号が５００番、２階部分１２及び３階部分１３において足場が完成したときの最終部品の通し番号が夫々１０００番及び１５００番であったとし、入力情報に応じて画面上に組み立てられた足場部品の最終部品の通し番号が６００番であったとすると、２階部分１２が組足場２の組み立て途中であることから、図３の状態であると判断して既述のように作業領域の判別、色分けがなされる。従って本実施形態では、表示プログラム４８が足場を表示部に３次元の画像として表示する手段となり、領域判定プログラム４９が、作業可能領域と作業禁止領域とを区別して表示する手段となる。
【００３５】
なお、組足場２の組み立てを下の階から順番に行わない場合においても、足場部品の通し番号が実際の組み立て順に対応していることから、組み立て途中段階の最終部品の番号を求めることにより、同様に両作業領域を区別することができる。また本実施形態では、領域判定プログラム４９の起動を、例えば組足場２の組み立ての進捗状況を表示するウィンドウに設けられた切り換えボタンによって切り換えるようになっており、この切り換えボタンによって、組足場２の組み立ての進捗状況のみを表示するモードと、組足場２の組み立ての進捗状況の表示に合わせて各階を、組足場２組み立て中の階と、それ以外の階とで色分けしていくモードとを選択することができる。
【００３６】
次に上述した足場の組み立て工程管理支援装置の作用について説明する。この足場の組み立て工程管理支援装置の使い方としては種々あるが、例えば建築構造物の付帯工事全体の工程を計画するときに、工期に応じた１日当たりの作業者の投入人数を経験的に求め、作業日と作業者の人数とを入力部に入力する。この入力情報は、人工データ作成用のプログラム４６により各作業日と作業者の人数とを対応付けて人工データ５３としてデータ記憶部４１に記憶される。そしてオペレータが、図１４に示す入力画面６０に表示されている人工データ５３の表から、組足場２の組み立て状況を知りたい年月日に対応する作業日（例えば、図１４の入力画面に示す３つの作業日）を指定すると、指定された作業日ごとに各作業日に組み立てられる足場部品の最終部品の通し番号が求められる。また複数の作業日を指定した場合には、指定された作業日に投入される作業者の述べ人数を求めることができる。
【００３７】
次いで、表示プログラム４８により３次元表示される。図１〜図６は作業日と各作業日における作業者の人数とを変えたときの組足場２の組み立て状況（途中段階）の例を示すものであり、この例では、図１〜図６に向かうにつれて作業日が進んでいき、組足場２の組み立てが進んでいる状態を示しているが、言い換えれば、投入されている作業者の延べ人数を増やした場合の組み立て状況の変化を示しているとも言える。
【００３８】
そして領域判別プログラム４９により、表示部に表示される組足場２の組み立ての途中段階に応じて既述のように作業可能領域と作業禁止領域とが求められ、互いに異なる色で表示される。即ち最終部品確認用のデータ５４の組足場２の完成時における最終部品の通し番号に基づいてどの階の足場の設置終了（完成）し、どの階で組足場２が組み立て途中であるのか、また組足場２の組み立てが開始されていないのはどの階か、ということを判断し、組足場２の組み立て途中の階については作業禁止領域、それ以外の階については作業可能領域として判断する。図１の例では、１階部分１１が作業禁止領域、２階部分１２及び３階部分１３が作業可能領域であり、図３の例では、２階部分１２が作業禁止領域、１階部分１１及び３階部分１３が作業可能領域であり、図５の例では、３階部分１３が作業禁止領域、１階部分１１及び２階部分１２が作業可能領域である。また図２、図４及び図６の例では、全ての階が作業可能領域である。そして図１、図３及び図５に斜線領域で示す作業禁止領域は、例えば赤で表示され、作業可能領域は例えば青で表示される。
【００３９】
こうしてオペレータが指定した作業日に応じて組足場２の進捗状況が表示され、例えば概ね見積もった作業者数で作業を１日行ったときの状況が把握できると共に、この状況に基づいてオペレータが適宜作業日数と作業者の人数とを更に入力することで組足場２の組み立ての進捗状況をより把握できる。また工期に応じた工程計画の作成が支援されることになる。
【００４０】
また作業日ごとの作業者の投入人数が変更されると、その投入人数に応じた組足場２の組み立ての進捗状況が表示されるようになるため、作業者数が変更された場合に、その変更に応じて組足場２の組み立ての進捗状況がどのように変化するのかを確認することができる。そのため天候不順等による工事の遅れが発生したときに、その遅れを取り戻すのに必要となる作業者数を求めることが可能となる。
【００４１】
上述の実施の形態によれば、組足場２の組み立て作業の作業日数と各作業日の作業者の投入人数とを足場の組み立て工程管理支援装置に入力することにより、入力情報に対応する組足場２の組み立て途中段階（進捗状況）を表示部に３次元の画像として表示している。従って作業日数と作業者の投入人数とに応じた進捗状況が事前に一目で分かるため、どのように作業者を投入することにより足場の組み立ての工期に間に合うか、作業者の投入人数が変更になった場合に作業がどの程度遅れるのかといったことが容易に把握でき、このため例えば工期が変更になったときなどにも対応が容易であり、組足場２の組み立て工程の管理を行う上で便利である。そして組み立て途中段階で作業を進められる作業可能領域と作業が禁止される作業禁止領域とを区別して表示するようにしているため、付属構造物の取り付け作業や塗装作業の手配を行う上で、どの時点からどの作業を行うことができるか、どの時点ではどの作業が行えないのか、といったことを一目で把握できる。この結果作業の手配が容易であり、例えばいつからどの業者に作業開始の指示を出せばよいかといったことを容易かつ確実に把握できる。また工程管理のミス、例えばある時点では作業禁止領域であるにもかかわらず、その時点に作業を実施するように手配してしまったといったミスを確実に防止できる。従って足場の組み立て作業の工程管理を行う上で極めて便利で有効な技術である。
【００４２】
なお本実施形態では、図１〜図６に示すように、１階部分１１、２階部分１２、３階部分１３の何れか一つの段で組足場２の仮設が行われている場合、他の２つの段では組足場２の組み立てを行わないようになっているが、本発明の実施の形態としては、例えば図１６に示すように、１階部分１１及び３階部分１３の２つの段で同時に組足場２の組み立てを行うようにしてもよい。この図１６に示す場合には、１階部分１１の組足場２の足場部品と３回１３の組足場２の足場部品に対して、例えば交互に通し番号を付与することによって、組足場２の組み立ての進捗状況を表示するときに、組足場２の組み立てが同時に行われているように表示する。そしてこの例では、１階部分１１及び３階部分１３が作業禁止領域となり、例えば赤く表示され、２階部分１２のみが作業可能領域となり、例えば青く表示される。
【００４３】
また本実施形態では、１階部分１１から３階部分１３にかけて、下の１階部分１１から順番に組足場２の組み立てを行っているが、本発明の実施の形態としては、上の３階部分１３、下の１階部分１１、真ん中の２階部分１２、といった順番で組足場２の組み立てを行ってもよい。この場合、足場部品の付与される通し番号は、３階部分１３の組足場２の足場部品、１階部分１１の組足場２の足場部品、２階部分１２の組足場２の足場部品の順番で付与されて、通し番号通り足場部品が表示されることになる。
【００４４】
［第２の実施形態］
また本発明の足場の組み立て工程管理支援装置は、例えば図１７、図１８に示すような吊り足場８を設置するときの工程管理に適用することができる。なお足場の組み立て工程管理支援装置の構造については、図７に示す第１の実施形態のコンピュータの構成と同構成をしているため説明は省略する。
【００４５】
吊り足場８は、図１７に示すように建築構造物の本体である作業場８２に吊り下げて設置される足場である。この吊り足場８の部品データ５には、複数の垂直（Ｚ方向）に伸びる支持部材である吊りチェーン８１（図１８参照）、床部２０を構成する水平方向（Ｘ−Ｙ方向）に伸びる支持部材である複数の親ごパイプ８０及び腕木パイプ（ころばしと呼ばれる）２５と、足場板３の他、手摺１５を構成するための手摺パイプ１６等の吊り足場８の構成に要する全ての足場部品のデータが備えられている。なお各パイプ同士を連結する場合、連結部材としてパイプクランクを使用するが、本実施形態ではこのパイプクランプの記載を省略している。
【００４６】
また吊り足場８の部品データ５には、第１の実施形態の部品データ５と同様に吊り足場８を構成する全ての足場部品に対して通し番号が付与されている。この通し番号は、吊り足場８を組み立てるときに各足場部品が設置されていく順番に沿って付与されている。この吊り足場８では、まず吊りチェーン８１を作業場８２の複数の支柱８３に架設されている架設部分である梁８４に吊設し、次いで親ごパイプ８０を吊りチェーン８１によって梁８４の下方領域で吊り下げ、この親ごパイプ８０の上に腕木パイプ２５を架設する。そして架設された腕木パイプ２５の上に足場板３を設置し、最後に手摺１５を設置して吊り足場８を完成させる。
【００４７】
そしてこの設置される順番通りに合わせて、吊り足場８の足場部品には通し番号が付与されている。従って吊り足場８の組み立ての進捗状況を表示するときには、この通し番号の順番通りに足場部品を表示するため、第１の実施形態と同様に作業日と作業者の投入人数とを入力すると、作業日ごとの吊り足場８の組み立ての進捗状況が表示されることになる。
【００４８】
次にこの吊り足場８の組み立ての進捗状況を表示する一例について、図１９〜図２１を参照して説明する。なお図１９〜図２１は、吊り足場８の設置状況について説明を行うために作業場８２と吊り足場８を簡易に示したものである。また図１９〜図２１に示す作業場８２では、各支柱８３間を一領域として作業場８２を３つの領域に分けており、図１９で吊り足場８の組み立てが行われている領域から順に、第１領域８５、第２領域８６、第３領域８７としている。そして吊り足場８はこの領域ごとに組み立てられ、例えば第１領域８５で組み立て中の吊り足場８が完成するまで、第２領域８６で吊り足場８の組み立てが開始されないようになっている。また以下に示す作業日と作業者の投入人数は、説明を簡易にするために便宜的に定めたものである。
【００４９】
この実施形態のように吊り足場８の付帯工事全体の工程を計画する場合であっても、各作業日と作業者の人数とを対応付けた人工データ５３をデータ記憶部４１に記憶し、オペレータが、人工データ５３の表から、吊り足場８の組み立て状況を知りたい年月日に対応する作業日を指定することによって、指定された各作業日に組み立てられる足場部品の最終部品の通し番号と、指定された作業日に投入される作業者の述べ人数と、を求めることができる。
【００５０】
そして表示プログラム４８により、図１９〜図２１に示すような吊り足場８の組み立て状況（途中段階）が表示される。なお図１９〜図２１では、図１９から図２１に向かうにつれて作業日が進み、吊り足場８の組み立てが進んでいる状態を示している。
【００５１】
また第１の実施形態と同様に、領域判別プログラム４９により表示部に表示される吊り足場８の組み立ての途中段階に応じて作業可能領域と作業禁止領域とを求め、互いに異なる色で表示することができる。即ち最終部品確認用のデータ５４には、吊り足場８の完成時における最終部品の通し番号が記憶されており、この最終部品の通し番号と、指定された作業日に組み立てられる足場部品の最終部品の通し番号とに基づいてどの領域の吊り足場８が設置終了（完成）し、どの領域で吊り足場８が組み立て途中であるのか、また吊り足場８の組み立てが開始されていないのはどの領域か、ということを判断することができるので、吊り足場８の組み立て途中の領域については作業禁止領域、それ以外の領域については作業可能領域として判断し、夫々を異なる色で表示することができる。
【００５２】
例えば図２０に示すような吊り足場８では、最後に吊り足場８の周囲を覆う手摺１５が設置されて完成となる。つまり最後に設置される足場部品は手摺パイプ１６となる。そのため本実施形態では、最終部品確認用のデータ５４にこの手摺パイプ１６の通し番号が記憶されており、指定された作業日に組み立てられる足場部品の最終部品の通し番号と、この手摺パイプ１６の通し番号とを比較して手摺パイプ１６の通し番号が小さければ、第１領域８５の吊り足場８は完成していると判断される。
【００５３】
そして図１９の例では、第１領域８５が作業禁止領域、第２領域８６及び第３領域８７が作業可能領域となり、図２０の例では、第２領域８６が作業禁止領域、第１領域８５及び第３領域８７が作業可能領域となり、図２１の例では、第３領域８７が作業禁止領域、第１領域８５及び第２領域８６が作業可能領域となり、各図１９〜図２１に示すように作業禁止領域と作業可能領域とを異なる色で表示する。
【００５４】
従ってこのような実施形態においても、吊り足場８の組み立て作業の作業日数と各作業日の作業者の投入人数とを足場の組み立て工程管理支援装置に入力して、対応する吊り足場８の組み立て途中段階（進捗状況）を表示部に３次元の画像として表示するため、作業日数と作業者の投入人数とに応じた進捗状況が事前に一目で分かる。これにより本実施形態のように吊り足場８の組み立て工程の管理を行う場合であっても、第１の実施形態と同様に吊り足場８の組み立て工程の管理を容易に行うことができ、付帯工事の手配を容易かつ確実に行うことが可能となる。また工程管理のミスを確実に防止できる。従って足場の組み立て作業の工程管理を行う上で極めて便利で有効な技術である。
【符号の説明】
【００５５】
１  本体（建築構造物）
２  組足場
３  足場板
４  組み立て工程管理支援装置
５  部品データ
８  吊り足場
１１  １階部分
１２  ２階部分
１３  ３階部分
１５  手摺
１６  手摺パイプ
２０  床部
２２  建地パイプ
２４  布パイプ（布）
２５  腕木パイプ（ころばし）
２７  根がらみ
４１  データ記憶部
４２  プログラム記憶部
４６  人工データ作成用のプログラム
４７  最終部品判断用のプログラム
４８  表示プログラム
４９  領域判別プログラム
５０  建築構造物データ
５２  歩掛りデータ
５３  人工データ
５４  最終部品確認用のデータ
６０  入力画面
８０  親ごパイプ（親ご）
８１  吊りチェーン
８２  作業場
８３  支柱
８４  梁
８５  第１区域
８６  第２区域
８７  第３区域
【図１】
2010271786.tif 000003
【図２】
2010271786.tif 000004
【図３】
2010271786.tif 000005
【図４】
2010271786.tif 000006
【図５】
2010271786.tif 000007
【図６】
2010271786.tif 000008
【図７】
2010271786.tif 000009
【図８】
2010271786.tif 000010
【図９】
2010271786.tif 000011
【図１０】
2010271786.tif 000012
【図１１】
2010271786.tif 000013
【図１２】
2010271786.tif 000014
【図１３】
2010271786.tif 000015
【図１４】
2010271786.tif 000016
【図１５】
2010271786.tif 000017
【図１６】
2010271786.tif 000018
【図１７】
2010271786.tif 000019
【図１８】
2010271786.tif 000020
【図１９】
2010271786.tif 000021
【図２０】
2010271786.tif 000022
【図２１】
2010271786.tif 000023